(57)【要約】【課題】１つのリモコンで複数の機器を操作する場合、ベースノードやホームサーバといった専用の中継装置が必要であったり、家庭内に有線や無線のネットワークを敷設したりしなければならないといった問題点があった。【解決手段】操作すべき機器の操作コマンド送出に先立って、操作すべき機器のＩＰ（インターネットプロトコル）アドレスをリモコンから送出するように構成した。また、複数の機器を操作する場合には、操作すべき複数の機器それぞれに対応したＩＰアドレスを入力するＩＰアドレス入力手段と、操作すべき複数の機器を切り替える機器切り替え手段と、操作すべき複数の機器それぞれに対応した操作コマンドを記憶して置く操作コマンド記憶手段と、前記機器切り替え手段による操作すべき機器の切り替えに連動して、操作すべき機器に対応したＩＰアドレスの送出に続き、操作すべき機器に対応した操作コマンドが送出されるように構成した。【選択図】　図１
2004140772.tif 000002
【特許請求の範囲】
【請求項１】
操作すべき機器の操作コマンド送出に先立って、操作すべき機器のＩＰ（インターネットプロトコル）アドレスを送出することを特徴とする無線式リモートコントローラ。
【請求項２】
操作すべき機器に対応したＩＰアドレスを入力するＩＰアドレス入力手段と、操作すべき機器に対応した操作コマンドを記憶して置く操作コマンド記憶手段とから構成されたことを特徴とする請求項１に記載の無線式リモートコントローラ。
【請求項３】
操作すべき機器に対応したＩＰアドレスと、操作すべき機器に対応した操作コマンドの少なくともいずれかが、赤外光線、電波、有線のいずれかの手段を用いて無線式リモートコントローラ内部に入力可能なことを特徴とする請求項２に記載の無線式リモートコントローラ。
【請求項４】
赤外光線、電波、有線のいずれかの手段を用いてインターネットに接続可能な無線式リモートコントローラであって、操作すべき機器のＩＰアドレスに対応した操作コマンドがインターネット経由で無線式リモートコントローラ内部に入力されることを特徴とする請求項２に記載の無線式リモートコントローラ。
【請求項５】
操作すべき複数の機器それぞれに対応したＩＰアドレスを入力するＩＰアドレス入力手段と、操作すべき複数の機器それぞれに対応した操作コマンドを記憶して置く操作コマンド記憶手段と、操作すべき複数の機器を切り替える機器切り替え手段と、この機器切り替え手段による操作すべき機器の切り替えに連動して、操作すべき機器に対応したＩＰアドレスの送出に続き、操作すべき機器に対応した操作コマンドが送出されることを特徴とする無線式リモートコントローラ。
【請求項６】
操作すべき機器に対応したＩＰアドレスと、操作すべき機器に対応した操作コマンドの少なくともいずれかが、赤外光線、電波、有線のいずれかの手段を用いて無線式リモートコントローラ内部に入力可能なことを特徴とする請求項５に記載の無線式リモートコントローラ。
【請求項７】
赤外光線、電波、有線のいずれかの手段を用いてインターネットに接続可能な無線式リモートコントローラであって、操作すべき機器のＩＰアドレスに対応した操作コマンドがインターネット経由で無線式リモートコントローラ内部に入力されることを特徴とする請求項５に記載の無線式リモートコントローラ。
【発明の詳細な説明】
【０００１】
【発明の属する技術分野】本発明はＩＰアドレスを有する機器を遠隔から操作するための無線式リモートコントローラ（以下無線式リモコン）に関するものである。
【０００２】
【従来の技術】１個の無線式リモコンで複数の機器をコントロールする無線式リモコンの中で、ネットワーク型の従来の第１の例として、無線式リモコンの信号をインターネットに接続されたベースノードと呼ばれる無線発信機で中継して複数の機器をそれぞれ制御する方法（例えば、非特許文献１）や、第２の例として、個人携帯情報端末を無線式リモコンとして、屋内に敷設されたＬＡＮ（ローカルエリアネットワーク）に接続されたホームサーバを中継して複数の機器をそれぞれ制御する方法（例えば特許文献１）がある。一方非ネットワーク型の従来例として複数の機器それぞれを操作する個別の専用無線式リモコンの信号パターンを取り込んで学習を行う学習型無線式リモコンの例などがある（例えば特許文献２）。
【０００３】
【非特許文献１】
平成１４年１０月１７日検索］
インターネット＜ＵＲＬ：ｈｔｔｐ：／／ｗｗｗ．ｖ６ｐｃ．ｊｐ／ｍｏｎｉｔｏｒ／ｒｅｍｏｃｏｎ．ｈｔｍｌ♯ａｐｐｌｉｃａｔｉｏｎ＞
【特許文献１】
特開２００１−３４６２７０号広報（第１８頁、図９）
特開昭６２−２３１５８６号広報（第３頁、図１）
【０００４】図１１はネットワーク型の従来の第１の例を示す。図１１において１５０はベースノード、１５１はＩＰｖ６（インターネットプロトコルバージョン６）対応の屋内への引込み線、１５２はインターネット、１５３、１５４、１５５はそれぞれ操作すべき機器ａ、機器ｂ、機器ｃである。１５６は無線式リモコンである。以上のように構成された図１１において、機器ａ１５３、機器ｂ１５４、機器ｃ１５５のいずれかを無線式リモコン１５６を用いて操作するときは、無線式リモコン１５６に設けてある機器選択ボタン１５６ａ（図中は３個の正方形ボタン）を押して、機器ａ１５３、機器ｂ１５４、機器ｃ１５５のいずれかを選択した後、所望の操作ボタン１５６ｂ（図中は６行５列の丸形ボタン）を押すと赤外光線１５７がベースノード１５０に送出される。ベースノード１５０は受信した信号の内容に基づいて、機器ａ１５３を操作する場合は機器ａ１５３に向けて赤外光線１５８を、機器ｂ１５４を操作する場合は機器ｂ１５４に向けて赤外光線１５９を、機器ｃ１５５を操作する場合は機器ｃ１５５に向けて赤外光線１６０を送出して所望の動作を行わせる。ベースノード１５０は引込み線１５１を介してインターネット１５２に接続されているため、外出先からインターネット１５２、引込み線１５１、ベースノード１５０を経由して各機器を遠隔操作することができる。
【０００５】図１２は第２の従来例を示す。図１２において１００はホームサーバ１０１、ビデオ１０２を内蔵したホームサーバ内臓ビデオ、２００ａはクーラ、２００ｂはガス等感知装置、２００ｃは冷蔵庫、２００ｄは電子レンジ、２００ｅはステレオセット、２００ｆはビデオである。２５０は前記各機器間を接続する家庭内ネットワークである。以上のように構成された図１２において、２００ａのクーラから２００ｆのビデオまでの各機器を遠隔操作するには、屋外、屋内移動可能な携帯機器である個人携帯情報機器３００から発せられる無線信号をホームサーバ１０１が受信し、その受信信号に基づく操作情報を家庭内ネットワーク２５０上に送出する。２００ａのクーラから２００ｆのビデオまでの各機器は送出された操作情報を解釈し、自らに発せられた操作情報である場合は、その操作情報に基づいた動作を行う。
【０００６】
【発明が解決しようとする課題】以上のように構成された従来の無線式リモコンには次のような課題がある。まず、第１の従来例である図１１の場合、１つの無線式リモコンで複数の機器を操作するためにはベースノード１５０を新規に購入する必要があり、インターネットを用いた付加的なサービスなどを必要とせず、単に複数の機器を操作したいだけのユーザにとっては余計な費用が発生するという課題があった。
【０００７】さらに、非特許文献１に紹介されている第１の従来例と同様なシステムにおいては、ベースノードが制御対象としている機器はＩＰアドレスを有しない従来の機器を前提としているため、ベースノードから発せられる赤外光線にはＩＰアドレス情報は含まず、多くの機器を制御する場合や、同一メーカ、同一種類の機器を多数制御する場合などにおいて、最悪混信し機器が誤動作するという課題があった。
【０００８】また第２の従来例である図１２の場合、図１１の場合と同様にホームサーバ１０１が必要であることに加えて、家庭内ネットワーク２５０という新たなインフラの整備が必要であり、余計な費用が発生するといった問題点があった。
【０００９】さらに前記特許文献２の特開昭６２−２３１５８６号広報の場合、例えば同一メーカのビデオやテレビなどを複数台操作しようとすると、無線式リモコンの信号送信パターンは各メーカのそれぞれの機器内で同一であったり、異なっていても２〜３台程度のテレビやビデオを操作することができる程度のパターンの種類しか持っていなかったりするため、最悪の場合、混信、誤動作などが発生するといった課題があった。
【００１０】また従来の電子機器や家電機器はネットワークに接続しＩＰアドレスで区別して制御するという基本的概念に基づいて構成されていないため、機器ごとに専用の無線式リモコンが必要であり、家庭内にはそれぞれの機器ごとの専用の無線式リモコンが溢れているといった状況であった。
【００１１】ところで、インターネットプロトコルは現在バージョン４（ＩＰｖ４）と呼ばれる体系が運用されているが、ＩＰアドレスの不足に対する懸念や機能の高度化などの要請に対し、近年バージョン６（ＩＰｖ６）が検討されている。ＩＰｖ６ではＩＰアドレス空間の大幅な拡大が図られ、生産される機器１つ１つにＩＰアドレスを付与することも可能とされている。また今後の高度ネットワーク化社会においては、ほとんどの電子機器や家電製品にはＩＰアドレスが付与され、家庭内ＬＡＮを経由してインターネットに接続されるとされている。
【００１２】しかし、家庭内ＬＡＮが普及するまでには相当な年数を必要とし、それまでの過渡的な状態においては、ＩＰアドレスが付与された電子機器、家電機器がネットワークに接続されずに家庭内に存在し、ＩＰアドレスは付与されているがその有効な機能が使用されていない「宝の持ち腐れ」状態が発生するという新たな課題の発生も容易に想起される。
【００１３】
【課題を解決するための手段】本発明は前述のようなＩＰｖ６が本格的に普及するまでの過渡的な状態においても、さらには本格的に家庭内ネットワークが普及した後でもＩＰアドレスを有効に活用し、操作されるべき機器を正確に特定するために発明されたものである。課題を解決するための基本的な手段は、操作すべき機器の操作コマンド送出に先立って、操作すべき機器のＩＰアドレスを無線式リモコンから送出するように構成したことである。
【００１４】詳細には、本発明の無線式リモコンは操作すべき機器に対応したＩＰアドレスを入力するＩＰアドレス入力手段と、操作すべき機器に対応した操作コマンドを記憶して置く操作コマンド記憶手段とから構成されている。
【００１５】また操作すべき機器に対応したＩＰアドレスと、操作すべき機器に対応した操作コマンドの少なくともいずれかが、赤外光線、電波、有線のいずれかの手段を用いて無線式リモコン内部に入力可能な構成にしたものである。
【００１６】また赤外光線、電波、有線のいずれかの手段を用いてインターネットに接続可能な無線式リモコンであって、操作すべき機器のＩＰアドレスに対応した操作コマンドがインターネット経由で無線式リモコン内部に入力されるように構成にしたものである。
【００１７】さらには操作すべき複数の機器それぞれに対応したＩＰアドレスを入力するＩＰアドレス入力手段と、操作すべき複数の機器それぞれに対応した操作コマンドを記憶して置く操作コマンド記憶手段と、操作すべき複数の機器を切り替える機器切り替え手段と、この機器切り替え手段による操作すべき機器の切り替えに連動して、操作すべき機器に対応したＩＰアドレスの送出に続き、操作すべき機器に対応した操作コマンドが送出されるように構成したものである。
【００１８】詳細には操作すべき機器に対応したＩＰアドレスと、操作すべき機器に対応した操作コマンドの少なくともいずれかが、赤外光線、電波、有線のいずれかの手段を用いて無線式リモコン内部に入力可能な構成にしたものである。
【００１９】また、赤外光線、電波、有線のいずれかの手段を用いてインターネットに接続可能な無線式リモコンであって、操作すべき機器のＩＰアドレスに対応した操作コマンドがインターネット経由で無線式リモコン内部に入力される構成にしたものである。
【００２０】
【発明の実施の形態】まず、本発明の主な実施の形態の構成と作用について説明する。
【００２１】本発明の請求項１に記載の無線式リモコンは、操作すべき機器の操作コマンド送出に先立って、操作すべき機器のＩＰアドレスを送出するように構成したものである。この構成により各機器に割り振られた唯一で重複のないＩＰアドレスがまず送出され、その後に操作コマンドが送出されるので、送出された信号が受信され、動作すべき該当機器が明確に区別されるという作用を有する。
【００２２】本発明の請求項２の無線式リモコンは、請求項１に記載の無線式リモコンにおいて、操作すべき機器に対応したＩＰアドレスを入力するＩＰアドレス入力手段と、操作すべき機器に対応した操作コマンドを記憶して置く操作コマンド記憶手段とから構成したものである。この構成により、操作すべき機器のＩＰアドレスと操作すべき機器の操作コマンドが無線式リモコン内に入力、記憶されるという作用を有する。
【００２３】本発明の請求項３の無線式リモコンは、請求項２に記載の無線式リモコンにおいて、操作すべき機器に対応したＩＰアドレスと、操作すべき機器に対応した操作コマンドの少なくともいずれかが、赤外光線、電波、有線のいずれかの手段を用いて無線式リモコン内部に入力可能な構成にしたものである。この構成により、操作すべき機器に対応したＩＰアドレスと、操作すべき機器に対応した操作コマンドの入力が、赤外光線、電波、有線のいずれかの経路で入力されるという作用を有する。
【００２４】本発明の請求項４の無線式リモコンは、請求項２に記載の無線式リモコンにおいて、赤外光線、電波、有線のいずれかの手段を用いてインターネットに接続可能な無線式リモコンであって、操作すべき機器のＩＰアドレスに対応した操作コマンドが、インターネット経由で無線式リモコン内部に入力される構成にしたものである。この構成によりＩＰアドレスに対応した最新の操作コマンドがインターネット経由で無線式リモコン内部に入力されるという作用を有する。
【００２５】本発明の請求項５の無線式リモコンは、操作すべき複数の機器それぞれに対応したＩＰアドレスを入力するＩＰアドレス入力手段と、操作すべき複数の機器それぞれに対応した操作コマンドを記憶して置く操作コマンド記憶手段と、操作すべき複数の機器を切り替える機器切り替え手段と、この機器切り替え手段による操作すべき機器の切り替えに連動して、操作すべき機器に対応したＩＰアドレスの送出に続き、操作すべき機器に対応した操作コマンドが送出される構成にしたものである。この構成により操作すべき機器が複数あっても、各機器に割り振られた唯一で重複のないＩＰアドレスがまず送出され、その後に操作コマンドが送出されるので、送出された信号が受信され、動作すべき該当機器が明確に区別され、複数の機器の操作が可能であるという作用を有する。
【００２６】本発明の請求項６の無線式リモコンは、請求項５に記載の無線式リモコンにおいて、操作すべき機器に対応したＩＰアドレスと、操作すべき機器に対応した操作コマンドの少なくともいずれかが、赤外光線、電波、有線のいずれかの手段を用いて無線式リモコン内部に入力可能な構成にしたものである。この構成により操作すべき機器に対応したＩＰアドレスと、操作すべき機器に対応した操作コマンドの入力が、無線式リモコン内部に入力されるという作用を有する。
【００２７】本発明の請求項７の無線式リモコンは、請求項５に記載の無線式リモコンにおいて、赤外光線、電波、有線のいずれかの手段を用いてインターネットに接続可能な無線式リモコンであって、操作すべき機器のＩＰアドレスに対応した操作コマンドが、インターネット経由で無線式リモコン内部に入力される構成にしたものである。この構成によりＩＰアドレスに対応した操作コマンドがインターネット経由で無線式リモコン内部に入力されるという作用を有する。
【００２８】以下、本発明の実施例について、図１〜図１０を用いて説明する。
【００２９】
【実施例１】図１、図２および図３は本発明の請求項１および請求項２に関する実施例１を示す無線式リモコンの構成、機能を説明する概念説明図である。
【００３０】図１において、１は無線式リモコン２で遠隔操作すべきＩＰアドレスが付与されたテレビである。２ｙは無線式リモコン２の発光部２ｆから発せられた赤外光線、１ａは赤外光線２ｙを受光するための受光部である。図２は無線式リモコン２の拡大説明図である。無線式リモコン２にはこの無線式リモコン２で操作可能な機器のＩＰアドレス表示２ｖがシール貼付、印刷、筆記などの手段で表示されている。無線式リモコン２で操作可能なＩＰアドレスは工場出荷時点で図３の不揮発性メモリ２ｊに記憶しておくことも可能であるが、ユーザがＩＰアドレスを入力することも可能である。以下の説明はユーザがＩＰアドレスを入力して使用する場合の説明である。無線式リモコン２には操作コマンドキー２ａ、テンキー２ｂ、さらにはテンキー２ｂからの入力数字がチャンネル切り替えの数字なのか、ＩＰアドレスの数字なのかを切り替えるテンキー切り替えボタン２ｗなどが配設されている。テンキー２ｂは通常の状態ではチャンネル切り替えモードとして動作するように設定されているので、ＩＰアドレスを入力する時は、テンキー入力前にこのテンキー切り替えボタン２ｗのＩＰアドレスボタン（図２中「ＩＰアドレス」と表示されている側のボタン）を押す必要がある。
【００３１】まず、ユーザがテレビ１を購入した時、テレビ１の外表面などに表示されているＩＰアドレスを無線式リモコン２に入力することから始める。操作手順は次の通りである。図２のテンキー切り替えボタン２ｗのＩＰアドレスボタンを押し、テンキー２ｂをＩＰアドレス入力モードに切り替え、テンキー２ｂからテレビ１のＩＰアドレスである１２．３４．５６．７８と入力し「ＥＮＴＥＲ」キーを押す。「ＥＮＴＥＲ」キーが押されると入力したＩＰアドレスは図３の不揮発性メモリ２ｊに記憶されると同時にテンキー２ｂはデフォルトな状態であるチャンネル切り替えモード切り替わる。
【００３２】次に、テレビ１のチャンネルを６に切り替えたい時には、ユーザはテンキー２ｂの６のキーを押し下げると、無線式リモコン２からはまず操作すべきテレビ１のＩＰアドレス（１２．３４．５６．７８）が送出され、引き続きチャンネル６への切り替えコマンドが赤外光線２ｙとして送出され、テレビ１の受光部１ａで受光される。
【００３３】図３は無線式リモコン２の内部構成を示したものである。ＣＰＵ２ｇはバスライン２ｍを介して各ユニットと接合されている。図３において、２ｊは前述のように入力されたＩＰアドレスを記憶しておくための不揮発性メモリである。２ｐはＲＯＭであり、ＩＰアドレスに対応する機器の操作コマンドが予め記憶されているので、ＩＰアドレスを入力し不揮発性メモリ２ｊに記憶すれば、そのＩＰアドレスに対応した専用無線式リモコンとして機能する。ＲＡＭ２ｈはＣＰＵ２ｇの処理プロセス情報を一時的に記憶しておくために使用される。
【００３４】以上のような構成にすることにより、ＩＰアドレスは各機器に固有な数字が与えられているため、例え同じメーカのテレビが近くに数台あっても、誤って他のテレビが動作するということが絶対に起こりえないという優れた効果が発揮できる。
【００３５】
【実施例２】図４は本発明の請求項３に関する実施例２を示す無線式リモコンの内部構成説明図である。
【００３６】図４の大半の構成は図３の構成と同一であり、同一機能であるユニットについては各番号に同じ添え字（たとえば２ｐは４ｐ、２ｈは４ｈなど）を付し、重複する説明は省略する。図４には図３と比較して受光センサ４ｕと光入力回路４ｓが追加されている。この追加部分の機能について説明する。例えば第１の例として、前記受光センサ４ｕに向けて他の赤外光線発光部（図示せず）から赤外光線４ｘにＩＰアドレス、操作コマンドを重畳して発光させ、受光センサ４ｕにより受光したＩＰアドレスと、操作コマンドが不揮発性メモリ４ｊに記憶されるような構成が考えられる。また第２の例としては、切り替えボタン４ｗのＩＰアドレスボタンを押し、テンキー４ｃから入力したＩＰアドレスに対応した操作コマンドがＲＯＭ４ｐに記憶されていないとき、操作コマンドのみを赤外光線４ｘに重畳して発光させ、受光センサ４ｕにより受光した操作コマンドが不揮発性メモリ４ｊに記憶されるような構成も考えられる。さらに第３の例として、操作すべき機器自体が赤外光線でＩＰアドレスを出力する機能を有している場合は、機器から発せられた赤外光線４ｘに重畳されたＩＰアドレスを、受光センサ４ｕにより受光し、不揮発性メモリ４ｊに記憶し、そのＩＰアドレスに対応した操作コマンドをＲＯＭ４ｐから探し出して操作を行うような構成も考えられる。以上の３つの例はＩＰアドレス、操作コマンドとも受光センサ４ｕより入力させる第１の例の場合、操作コマンドのみを受光センサ４ｕより入力させる第２の例の場合、ＩＰアドレスのみを受光センサ４ｕより入力させる第３の例の場合について説明したが、請求項３にも記した通りＩＰアドレス、操作コマンドのうち少なくともいずれかを受光センサ４ｕから入力することにより、新規の機器に対しても必要なＩＰアドレスや操作コマンドの情報を簡単に無線式リモコン４の中に取り込むことができるので、それらの新規の機器に対して無線式リモコン４を動作させることができ、無線式リモコン４を末永く使用できるといった優れた効果が発揮できる。
【００３７】上記実施例２の説明では赤外光線４ｘを用いた例を示したが、もちろん赤外光線に限らず電波を用いたり、有線で接続したりしても赤外光線を用いた場合と同様の機能と効果を得ることができる。
【００３８】
【実施例３】図５は本発明の請求項４に関する実施例３を示す無線式リモコンの内部構成説明図である。
【００３９】図５の大半の構成は図４の構成と同一であり、同一機能であるユニットについては各番号に同じ添え字（たとえば４ｐは５ｐ、４ｈは５ｈなど）を付し、重複する説明は省略する。図５における追加部分の機能について説明する。図５において７はインターネット、６はインターネットに接続され赤外光線発光部６ａを有するインターネット接続機器（例えばパソコンなど）、８はインターネットに接続され、電子機器、家電機器などのＩＰアドレスや操作コマンドなどが記憶されたデータベースである。今、切り替えボタン５ｗのＩＰアドレスボタンを押し、テンキー５ｃを用いてＩＰアドレスを入力した状態で、ＲＯＭ５ｐ内に該当するＩＰアドレスに対する操作コマンドが記憶されていない場合、ユーザは受光部５ｕをインターネット接続機器６の発光部６ａに対向させ、インターネット接続機器６に然るべき操作を行うと、インターネット接続機器６はインターネット７を介してデータベース８に対して、ＩＰアドレスに対応した操作コマンド送出の要求を出す。データベース８は要求されたＩＰアドレスに対する操作コマンドの情報をインターネット接続機器６に返送し、この操作コマンド情報が赤外光線５ｘを経由して無線式リモコン５の受光部５ｕで受光され、不揮発性メモリ５ｊに記憶される。このような構成にしておけば、工場出荷時に操作コマンドがＲＯＭ５ｐに記憶されていない新規のＩＰアドレスを有する機器に対しても、インターネット７経由で簡単にＩＰアドレスに対応した操作コマンドの情報を無線式リモコン５の中に取り込むことができるので、無線式リモコン５を動作させることができ、無線式リモコン５を末永く使用できるといった優れた効果が発揮できる。
【００４０】上記実施例３の説明では赤外光線５ｘを用いて、無線式リモコン５とインターネット接続機器６を接続する例を示したが、もちろん赤外光線に限らず電波を用いたり、有線で接続したりしても赤外光線を用いた場合と同様の機能と効果を得ることができる。
【００４１】
【実施例４】図６は本発明の請求項５に関する実施例４を示す無線式リモコンの構成、機能を説明する概念説明図である。
【００４２】図６では、１つの無線式リモコン２０を用いて機器１（テレビ）１０、機器２（ビデオ）１１、機器３（エアコン）１２といった複数の機器を制御する場合について説明する。機器それぞれには工場出荷時に予めＩＰアドレスが付与されているが、このＩＰアドレスの表示方法としては機器外表面に印刷されたＩＰアドレスシールが貼付されている場合や、製造番号にＩＰアドレスが含まれて製品外表面に表示されている場合や、取扱説明書にＩＰアドレスが印刷されている場合などが考えられる。
【００４３】次に機器１（テレビ）１０、機器２（ビデオ）１１、機器３（エアコン）１２のＩＰアドレスを無線式リモコンに入力する手順を説明するが、テンキー２０ｃは通常の状態ではコマンド操作モード（例えばテレビのチャンネル切り替えや、エアコンの温度入力などの数値入力モード）として動作するように設定されているので、ＩＰアドレスを入力する時は、テンキー２０ｃ入力前にＩＰアドレス入力ボタン２０ｗを押す必要がある。
（１）機器１（テレビ）１０のＩＰアドレス（１２．３４．５６．７８）を確認する
（２）無線式リモコン２０の切り替えダイヤル２０ａを機器１に合わせる（３）ＩＰアドレス入力ボタン２０ｗを押す。
（４）無線式リモコン２０のテンキー２０ｃを押して（１）のＩＰアドレスを入力する。この時、入力した数字は表示部２０ｂに表示される。
（５）次に機器２（ビデオ）１１のＩＰアドレス（１２．３４．５６．９９）を確認する
（６）無線式リモコン２０の切り替えダイヤル２０ａを機器２に合わせる
（７）ＩＰアドレス入力ボタン２０ｗを押す。
（８）無線式リモコン２０のテンキー２０ｃを押して（５）のＩＰアドレスを入力する。この時、入力した数字は表示部２０ｂに表示される。
（９）次に機器３（エアコン）１２のＩＰアドレス（１２．３４．２２．７８）を確認する
（１０）無線式リモコン２０の切り替えダイヤル２０ａを機器３に合わせる
（１１）ＩＰアドレス入力ボタン２０ｗを押す。
（１２）無線式リモコン２０のテンキー２０ｃを押して（９）のＩＰアドレスを入力する。この時、入力した数字は表示部２０ｂに表示される。
【００４４】以上のように各機器のＩＰアドレスが入力された無線式リモコンを用いて各機器を操作する手順を説明する。機器１（テレビ）１０のチャンネルを６に切り替える場合は、図６ａのようにまず切り替えダイヤル２０ａを機器１に合わせる。この時表示部２０ｂには機器１（テレビ）１０のＩＰアドレスが表示される。次にテンキー２０ｃの中から６のボタンを押すと、発光部２０ｆからＩＰアドレス（１２．３４．５６．７８）が送出された後、チャンネル６への切り替えコマンドが送出される。同様に機器２（ビデオ）１１を再生する場合も、図６ｂのように切り替えダイヤル２０ａを機器２に合わせる。この時表示部２０ｂには機器２（ビデオ）１１のＩＰアドレスが表示される。次に操作コマンドキー２０ｄの中から再生のボタンを押すと、発光部２０ｆからＩＰアドレス（１２．３４．５６．９９）が送出された後、再生コマンドが送出される。同様に機器３（エアコン）１２を２５℃に設定する場合も、図６ｃのように切り替えダイヤル２０ａを機器３に合わせる。この時表示部２０ｂには機器３（エアコン）１２のＩＰアドレスが表示される。次に操作コマンドキー２０ｄの中から温度設定ボタンを押し下げ２５℃に設定すると、発光部２０ｆからＩＰアドレス（１２．３４．２２．７８）が送出された後、温度２５℃への設定コマンドが送出される。各機器に設けられた１０ａ、１１ａ、１２ａは発光部２０ｆから送出された赤外光線を受光する受光部である。
【００４５】図７は無線式リモコン２０の詳細図である。２０ｅは切り替えボタン２０ａで切り替えて操作する機器１から機器４の表示であり、図７のようにそれぞれ対応している機器の具体的な名称（テレビ、ビデオなど）も合わせて表示していると一層便利である。２０ｃはテンキー、２０ｂは表示部、２０ｗはテンキーをＩＰアドレス入力モードにするＩＰアドレス入力ボタンである。また２０ｄは各機器のコマンド操作を行う操作コマンドキーである。
【００４６】図８は無線式リモコン２０の内部構成を示したものである。ＣＰＵ２０ｇはバスライン２０ｍを介して各ユニットと接合されている。まず、各機器のＩＰアドレスの入力過程を説明する。今、切り替えダイヤル２０ａを機器３（エアコン）に合わせ、ＩＰアドレス入力ボタン２０ｗを押した後、テンキー２０ｃから１２．３４．２２．７８と入力すると、ＣＰＵ２０ｇは不揮発性メモリ２０ｊの機器３領域２０ｊ３にＩＰアドレス（１２．３４．２２．７８）を書き込む。同様に機器１領域２０ｊ１には１２．３４．５６．７８が、機器２領域２０ｊ２には１２．３４．５６．９９が書き込まれる。
【００４７】次に機器を操作する場合を説明する。ＲＯＭ２０ｐには膨大なＩＰアドレスごとにそれぞれ対応する操作コマンドが記憶されている。ユーザが切り替えダイヤル２０ａを機器３（エアコン）に設定し、操作コマンドキー２０ｄからエアコンの設定温度を２５℃と操作すると、ＣＰＵ２０ｇは不揮発性メモリ２０ｊの機器３領域２０ｊ３から機器３のＩＰアドレスが１２．３４．２２．７８であることを読み出し、次にＲＯＭ２０ｐからＩＰアドレス（１２．３４．２２．７８）に対応する操作コマンドの中からエアコンの設定温度を２５℃にするための操作コマンドが呼び出される。以上のＩＰアドレス（１２．３４．２２．７８）と設定温度を２５℃の操作コマンドは一旦ＲＡＭ２０ｈに記憶された後、光出力回路２０ｎを経由して、発光部２０ｆが変調駆動され、まずＩＰアドレス（１２．３４．２２．７８）、続いて設定温度を２５℃の操作コマンドが赤外光線３０として送出される。
【００４８】
【実施例５】図９は本発明の請求項６に関する実施例５を示す無線式リモコンの内部構成説明図である。
【００４９】図９においてＣＰＵ４０ｇはバスライン４０ｍを介して各ユニットと接合されている。まず、各機器のＩＰアドレスの入力過程を説明する。今、切り替えダイヤル４０ａを機器２に合わせて、表示用液晶に入力用タッチパネルを積層して構成した液晶表示タッチパネル６０に表示されたＩＰアドレス入力ボタン６０ｗを押し、テンキー６０ｃのタッチパネルからＩＰアドレス（たとえば１２．３４．５６．９９）を入力すると、ＩＰアドレス表示部６０ｂに入力したＩＰアドレスが表示されると同時に、ＣＰＵ４０ｇは不揮発性メモリ４０ｊ内の機器２の領域にＩＰアドレス（１２．３４．５６．９９）を書き込む。同様に機器１から機器ｎまでのＩＰアドレスが不揮発性メモリ４０ｊの各該当領域に書き込まれる。
【００５０】上記はＩＰアドレスをテンキー６０ｃから直接入力し、予めＲＯＭ４０ｐにメモリされているＩＰアドレスに該当する操作コマンドや液晶表示タッチパネル６０に表示すべきキーデザインなどを使用する方法であるが、本実施例５においては他の方法でもＩＰアドレスを入力することが可能である。図９の無線式リモコン４０には光入力回路４０ｓを経由してバスライン４０ｍに接合されている受光センサ４０ｕが設けてある。このような機能を有する無線式リモコン４０へのＩＰアドレス、操作コマンド、操作コマンドキーのデザイン情報などの入力の具体的な方法とした以下のような３つの例が考えられる。
【００５１】例えば第１の例としては、前記のように受光センサ４０ｕに向けて他の赤外光線発光部（図示せず）から赤外光線４０ｘにＩＰアドレス、操作コマンド、操作コマンドキーのデザイン情報を重畳して発光させ、受光センサ４０ｕにより受光したＩＰアドレス、操作コマンド、操作コマンドキーのデザイン情報が不揮発性メモリ４ｊに記憶されるような構成の場合。
【００５２】また第２の例としては、ＩＰアドレス入力ボタン６０ｗを押し、テンキー６０ｃから入力したＩＰアドレスに対応した操作コマンドがＲＯＭ４０ｐに記憶されていないとき、操作コマンドや操作コマンドキーのデザイン情報を赤外光線４０ｘに重畳して発光させ、受光センサ４０ｕにより受光した操作コマンドや操作コマンドキーのデザイン情報を不揮発性メモリ４ｊに記憶するような構成の場合。
【００５３】さらに第３の例として、操作すべき機器自体が赤外光線でＩＰアドレスを出力する機能を有している場合は、機器から発せられた赤外光線４０ｘに重畳されたＩＰアドレスを、受光センサ４０ｕにより受光し、不揮発性メモリ４０ｊに記憶し、そのＩＰアドレスに対応した操作コマンドや操作コマンドキーのデザイン情報をＲＯＭ４０ｐから探し出して操作を行うような構成の場合などが考えられる。
【００５４】以上、ＩＰアドレス、操作コマンド、操作コマンドキーのデザイン情報とも受光センサ４０ｕより入力させる第１の例の場合、操作コマンドや操作コマンドキーのデザイン情報のみ受光センサ４０ｕより入力させる第２の例の場合、ＩＰアドレスのみを受光センサ４０ｕより入力させる第３の例の場合について説明した。操作コマンドキーのデザインは各機器間で共通デザインを使用することも可能であるので、請求項６にも記した通り最低限ＩＰアドレス、操作コマンドのうち少なくともいずれかを受光センサ４０ｕから入力することにより、新規の機器に対しても必要なＩＰアドレスや操作コマンドの情報を簡単に無線式リモコン４０の中に取り込むことができるので、それらの新規の機器に対して無線式リモコン４０を動作させることができ、無線式リモコン４０を末永く使用できるといった優れた効果が発揮できる。
【００５５】次に機器を操作する場合を説明する。前記のような方法でＲＯＭ４０ｐや不揮発性メモリ４０ｊにはＩＰアドレスごとにそれぞれ対応する操作コマンドの情報、操作コマンドキーのデザイン情報が記憶されている。ユーザが切り替えダイヤル４０ａを機器２に設定すると、連動して液晶表示タッチパネル６０にはＩＰアドレスがＩＰアドレス表示部６０ｂに、操作コマンドキーが操作コマンドキー６０ｄに表示されるので所望のキー操作を行えばよい。
【００５６】上記実施例５の説明では赤外光線４０ｘを用いた例を示したが、もちろん赤外光線に限らず電波を用いたり、有線で接続したりしても赤外光線を用いた場合と同様の効果を得ることができる。
【００５７】
【実施例６】図１０は本発明の請求項７に関する実施例６を示す無線式リモコン内部構成説明図である。
【００５８】図１０の大半の構成は図９の構成と同一であり、同一機能であるユニットについては各番号に同じ添え字（たとえば４０ｐは７０ｐ、４０ｈは７０ｈ、６０ｄは８０ｄなど）を付し、重複する説明は省略する。図１０における追加部分の機能について説明する。図１０において９１はインターネット、９０はインターネット９１に接続され、赤外光線発光部９０ａを有するインターネット接続機器（例えばパソコンなど）、９２はインターネットに接続された電子機器、家電機器などのＩＰアドレスや操作コマンドなどを記憶したデータベースである。今、ＩＰアドレス入力ボタン８０ｗを押し、テンキー８０ｃを押してＩＰアドレスを入力した状態で、ＲＯＭ７０ｐ内に該当するＩＰアドレスに対する操作コマンドが記憶されていない場合、ユーザは受光部７０ｕをインターネット接続機器９０の発光部９０ａに対向させ、インターネット接続機器９０に然るべき操作を行うと、インターネット接続機器９０はデータベース９２に対して、ＩＰアドレスに対応した操作コマンド送出の要求を出す。データベース９２は要求されたＩＰアドレスに対する操作コマンドの情報や操作コマンドキーのデザイン情報をインターネット接続機器９０に返送し、この操作コマンドの情報や操作コマンドキーのデザイン情報が赤外光線７０ｘを経由して無線式リモコン７０の受光部７０ｕで受光され、不揮発性メモリ７０ｊに記憶される。このような構成にしておけば、工場出荷時にＲＯＭ７０ｐに記憶されていない新規の機器に対してもインターネット９１経由で簡単に最新のＩＰアドレス、操作コマンドの情報、操作コマンドキーのデザイン情報を無線式リモコン７０の中に取り込むことができるので、無線式リモコン７０を動作させることができ、無線式リモコン７０を末永く使用できるといった優れた効果が発揮できるといった優れた効果が発揮できる。
【００５９】上記実施例６の説明では赤外光線７０ｘを用いて、無線式リモコン７０とインターネット接続機器９０を接続する例を示したが、もちろん赤外光線に限らず電波を用いたり、有線で接続したりしても赤外光線を用いた場合と同様の機能と効果を得ることができる。
【００６０】以上の発明の実施の形態の説明は赤外光線を用いた無線式リモコンの場合を用いて説明したが、もちろん電波を用いた無線式リモコンでも構成可能であることは言うまでもない。
【００６１】
【発明の効果】本発明の請求項１に記載の無線式リモコンによれば、操作すべき機器の操作コマンド送出に先立って、操作すべき機器のＩＰアドレスを送出するよう構成したことにより、機器を操作する際に各機器に割り振られた唯一で重複のないＩＰアドレスがまず送出され、その後に機器の操作コマンドが送出されるので、送出された信号が受信され、動作すべき該当機器が明確に区別されるので、他の機器が誤動作するということが絶対に起こり得ないという非常に優れた効果を有している。
【００６２】本発明の請求項２の無線式リモコンは、請求項１に記載の無線式リモコンにおいて、操作すべき機器に対応したＩＰアドレスを入力するＩＰアドレス入力手段と、操作すべき機器に対応した操作コマンドを記憶して置く操作コマンド記憶手段とから構成したことにより、ＩＰアドレスを入力するだけで無線式リモコンの操作対象の機器を自由に変更できるという優れた効果を有している。
【００６３】本発明の請求項３の無線式リモコンは、請求項２に記載の無線式リモコンにおいて、操作すべき機器に対応したＩＰアドレスと、操作すべき機器に対応した操作コマンドの少なくともいずれかが、赤外光線、電波、有線のいずれかの手段を用いて無線式リモコン内部に入力可能な構成にしたことにより、当該無線式リモコン製造以降に登場した電子機器や家電機器のＩＰアドレスや操作コマンドを、赤外光線、電波、有線のいずれかの手段を用いて容易に無線式リモコン内部に取り込み、新規機器を遠隔操作できるという優れた効果を有している。
【００６４】本発明の請求項４の無線式リモコンは、請求項２に記載の無線式リモコンにおいて、赤外光線、電波、有線のいずれかの手段を用いてインターネットに接続可能な無線式リモコンであって、操作すべき機器のＩＰアドレスに対応した操作コマンドがインターネット経由で無線式リモコン内部に入力される構成にしたことにより、ＩＰアドレスに対応した最新の操作コマンドやその他の付属情報などが、インターネット経由で容易に無線式リモコン内部取り込むことができるという優れた効果を有している。
【００６５】本発明の請求項５の無線式リモコンは、操作すべき複数の機器それぞれに対応したＩＰアドレスを入力するＩＰアドレス入力手段と、操作すべき複数の機器それぞれに対応した操作コマンドを記憶して置く操作コマンド記憶手段と、操作すべき複数の機器を切り替える機器切り替え手段と、この機器切り替え手段による操作すべき機器の切り替えに連動して、操作すべき機器に対応したＩＰアドレスの送出に続き、操作すべき機器に対応した操作コマンドが送出される構成にしたことにより、操作すべき機器が複数あっても動作すべき該当機器が明確に区別されるので、他の機器が誤動作するということが絶対に起こり得ないという非常に優れた効果を有している。
【００６６】本発明の請求項６の無線式リモコンは、請求項５に記載の無線式リモコンにおいて、操作すべき機器に対応したＩＰアドレスと、操作すべき機器に対応した操作コマンドの少なくともいずれかが、赤外光線、電波、有線のいずれかの手段を用いて無線式リモコン内部に入力可能な構成にしたことにより、当該無線式リモコン製造以降に登場した電子機器や家電機器のＩＰアドレスや操作コマンドを、赤外光線、電波、有線のいずれかの手段を用いて容易に無線式リモコン内部に取り込み、新規機器を遠隔操作できるという優れた効果を有している。
【００６７】本発明の請求項７の無線式リモコンは、請求項５に記載の無線式リモコンにおいて、赤外光線、電波、有線のいずれかの手段を用いてインターネットに接続可能な無線式リモコンであって、操作すべき機器のＩＰアドレスに対応した操作コマンドがインターネット経由で無線式リモコン内部に入力される構成にしたことにより、当該無線式リモコン製造以降に登場した電子機器や家電機器のＩＰアドレスや操作コマンドを、インターネット経由で容易に無線式リモコン内部取り込み、新規機器を遠隔操作できるという優れた効果を有している。
【図面の簡単な説明】
【図１】本発明の実施例１による無線式無線式リモコンの概念説明図
【図２】図１の無線式無線式リモコンの拡大説明図
【図３】図１の無線式無線式リモコンの内部構成説明図
【図４】本発明の実施例２による無線式無線式リモコンの内部構成説明図
【図５】本発明の実施例３による無線式無線式リモコンの内部構成説明図
【図６】本発明の実施例４による無線式無線式リモコンの概念説明図
【図７】図６の無線式無線式リモコンの詳細説明図
【図８】図６の無線式無線式リモコンの内部構成説明図
【図９】本発明の実施例５による無線式無線式リモコンの内部構成説明図
【図１０】本発明の実施例６による無線式無線式リモコンの内部構成説明図
【図１１】第１の従来の例を示す説明図
【図１２】第２の従来の例を示す説明図
【符号の説明】
２、４、５、２０、４０、７０　　　無線式リモコン
２０ａ、４０ａ、７０ａ　　　　　　切り替えダイヤル
２０ｂ　　　　　　　　　　　　　　表示部
２０ｃ　　　　　　　　　　　　　　テンキー
２０ｄ　　　　　　　　　　　　　　操作コマンドキー
２０ｆ、４０ｆ、７０　　　　　　　発光部
２０ｇ、４０ｇ、７０ｇ　　　　　　ＣＰＵ
２０ｈ、４０ｈ、７０ｈ　　　　　　ＲＡＭ
２０ｊ、４０ｊ、７０ｊ　　　　　　不揮発性メモリ
２０ｋ、４０ｋ、７０ｋ　　　　　　表示制御回路
２０ｍ、４０ｍ、７０ｍ　　　　　　バスライン
２０ｎ、４０ｎ、７０ｎ　　　　　　光出力回路
２０ｐ、４０ｐ、７０ｐ　　　　　　ＲＯＭ
６０、８０　　　　　　　　　　　　液晶表示タッチパネル
６０ｂ、８０ｂ　　　　　　　　　　ＩＰアドレス表示部
６０ｃ、８０ｃ　　　　　　　　　　テンキー
６０ｄ、８０ｄ　　　　　　　　　　操作コマンドキー
６０ｗ、８０ｗ　　　　　　　　　　ＩＰアドレス入力ボタン
６、９０　　　　　　　　　　　　　インターネット接続機器
７、９１　　　　　　　　　　　　　インターネット
８、９２　　　　　　　　　　　　　データベース
【図１】
2004140772.tif 000003
【図２】
2004140772.tif 000004
【図３】
2004140772.tif 000005
【図４】
2004140772.tif 000006
【図５】
2004140772.tif 000007
【図６】
2004140772.tif 000008
【図７】
2004140772.tif 000009
【図８】
2004140772.tif 000010
【図９】
2004140772.tif 000011
【図１０】
2004140772.tif 000012
【図１１】
2004140772.tif 000013
【図１２】
2004140772.tif 000014